(57)【要約】【課題】葬儀の際に使用した葬祭用照明具を、葬儀終了後に焼却手段で廃棄する場合、ダイオキシンなどの有害ガスの発生がなく、環境汚染のない状態で廃棄することができる葬祭用照明具を提供する。【解決手段】火袋本体１、扇２、電装台３および支持脚４と三角状保持具５などからなる葬祭用照明具としての灯籠や、笠部６、鳳凰飾り体７、瑶珞飾り体８、筒状部９、気泡管１０、基台１３などからなる葬祭用照明具としての気泡灯において、従来プラスティックで成形した外郭構成部材を紙で成形した。【選択図】　　図１
2004135871.tif 000002
【特許請求の範囲】
【請求項１】
扇、火袋、電球、電装台および支持脚部等の構成部材からなる葬祭用照明具において、火袋に張設したシート状物および電球を除き、他の構成部材が紙で射出成形されていることを特徴とする葬祭用照明具。
【請求項２】
笠部、鳳凰飾り体、瑶珞飾り体、筒状部、気泡管、電球、反射板および基台等の構成部材からなる葬祭用照明具において、気泡管、電球および反射板を除き、他の構成部材が紙で射出成形されていることを特徴とする葬祭用照明具。
【請求項３】
紙は、絶対乾燥重量で５１％以上の古紙を含有して構成されたペレット状のプラスティック改質体であることを特徴とする請求項１または２記載の葬祭用照明具。
【発明の詳細な説明】
【０００１】
【発明の属する技術分野】
本発明は、外郭の構成部材が紙で射出成形された葬祭用照明具に係り、詳しくは、葬儀の際に人生終焉の厳かなセレモニーを演出するために、祭壇の脇に配置される葬祭用照明具を葬儀終了後に焼却手段で廃棄する場合、ダイオキシンなどの有害ガスを発生することなく焼却することができる葬祭用照明具に関するものである。
【０００２】
【従来の技術】
プラスティックによる成形加工技術の高度化と普及化に伴い、仏具業界においても成形加工技術を利用して、外郭の構成部材をプラスティックで射出成形した葬祭用照明具、その他様々な葬祭具が開発され、一期一会の葬儀において、故人の冥福と成仏を祈る厳かな雰囲気を演出している。
【０００３】
ところが、葬祭用照明具は一回限りの使用なので、葬儀終了後の廃棄処分としては、プラスティックで成形した外郭の構成部材をスクラップにして再利用することが可能であるが、一般的には焼却手段で廃棄しているのが現状である。このため、焼却時にダイオキシンなどの有害ガスが発生し、大気汚染や環境破壊の弊害を誘発することになり、環境保全の見地から焼却による廃棄処分の解決手段が喫緊の急務とされている。
【０００４】
【発明が解決しようとする課題】
本発明は、上記のような実状に鑑み、全く新しい構想に基づいて創案されたものであって、その意図するところは、葬儀の際に祭壇の脇に配置されて、故人の冥福と成仏を祈る厳かな雰囲気を演出した葬祭用照明具を、葬儀終了後に廃棄処分するにあたり、焼却手段によって廃棄しても、ダイオキシンなどの有害ガスの発生がなく、環境汚染の惧れのない葬祭用照明具を提供することを課題とするものである。
【０００５】
【課題を解決するための手段】
上記課題を解決するため、本発明が採用した第１の技術手段は、扇、火袋、電球、電装台および支持脚部等の構成部材からなる葬祭用照明具において、火袋に張設したシート状物および電球を除き、他の構成部材が紙で射出成形されていることを特徴とするものである。
【０００６】
第２の技術手段は、笠部、鳳凰飾り体、瑶珞飾り体、筒状部、気泡管、電球、反射板および基台等の構成部材からなる葬祭用照明具において、気泡管、電球および反射板を除き、他の構成部材が紙で射出成形されていることを特徴とするものである。
【０００７】
第３の技術手段は、構成部材の射出成形に使用する紙は、絶対乾燥重量で５１％以上の古紙を含有して構成されたペレット状のプラスティック改質体であることを特徴とするものである。ここに、「プラスティック改質材」とは、容器リサイクル法で紙と認定され、かつ紙でありながら、従来の成型機を用いて射出成形ができるものをいう。
【０００８】
【発明の実施の形態】
本発明の実施の形態を添付図面に基いて詳細に説明する。図１は葬祭用照明具の一実施例を示す灯籠の正面図、図２は同上他の実施例を示す気泡灯の要部を断面にした正面図である。
【０００９】
先ず、図１に示す葬祭用灯籠は次のように構成されている。すなわち、１は火袋本体であって、該火袋本体１は上部輪体１ａと下部輪体１ｂとの間に縦桟１ｃが周方向に所定間隔を存して弓張状に跨設されて、全体形状が三次元の球状枠体に形成されていると共に、正面視において上部輪体１ａの左右対向位置には、左右端部に扇房２ａを装備した扇２を着脱自在に立設する取付孔１ｄが形成されている。火袋本体１の内側には和紙、不織布などのシート状物が張設されており、該シート状物には花の絵柄が表示されて火袋が構成されている。
【００１０】
上記火袋本体１の下部輪体１ｂの下側には電装台３が形成されており、その中心部にはソケットに取着される電球（それぞれ図示省略）が装備されていると共に、電装台３の下側には３本の支持脚４の長手方向中央部位には三角状保持具５が嵌合されて支持脚４が安定状態に保持されるようになっている。
【００１１】
叙上のように構成された葬祭用灯籠は、火袋本体１の内側に張設されたシート状物、ソケットおよび電球を除き、他の構成部材である火袋本体１、扇２、電装台３、支持脚４および三角状保持具５が、絶対乾燥重量で５１％以上の古紙を含有して構成されたペレット状のプラスティック改質材で射出成形されている。
【００１２】
次に図２に示す葬祭用気泡灯は次のように構成されている。すなわち、６は頂部に火炎を模した飾り体６ａを一体的に形成した笠部であって、該笠部６の外周縁所定位置、すなわち正面視において左右対向位置には鳳凰飾り体７が着脱自在に装着されており、該飾り体７には瑶珞飾り体８が垂設されている。上記笠部６を支承する筒状部９には気泡管１０が立設され、該気泡管１０の下半部外周域には背面側が高位で前面側が低位となるように反射板１１が抱持状に立設されており、気泡管１０の直下方にはソケット１２ａに装着した電球１２が基台１３に内装されている。
【００１３】
以上のように構成された葬祭用気泡灯は、気泡管１０、反射板１１、電球１２およびソケット１２ａを除き、他の構成部材である笠部６、鳳凰飾り体７、７、瑶珞飾り体８および基台１３が絶対乾燥重量５１％以上の古紙を含有して構成されたペレット状のプラスティック改質材で射出成形されている。
【００１４】
ところで、プラスティック改質材を製造するに際して、古紙をプラスティックに混合する方法には、乾式で粉砕した古紙を、混練して軟化状態にあるプラスティックに練り込む方法と、古紙を水に湿潤させ、繊維を膨潤させながら解繊してパルプ懸濁液とし、このパルプ懸濁液に対して、パルプが乾燥しても繊維間の結合ができず、かつプラスティックの混練時に繊維の分散を促進させるための添加剤を加えてプラスティックと混合する方法とがあるが、本発明が葬祭用照明具の構成部材を射出成形するために使用するプラスティック改質材は後者の方法を用い、脱水工程を経てペレット状に製品化したものである。
【００１５】
上記の方法により製品化されたペレット状のプラスティック改質材は、財団法人日本食品分析センターの分析試験の結果、
（１）曲げ強度は（３９〜６４ＭＰａ）で、通常のプラスティック成形品（２９〜４０ＭＰａ）よりも高く、
（２）燃焼カロリーは（６３００〜６５００Ｋｃａｌ／Ｋｇ）で、通常のプラスティック成形品（１１０００〜１２０００Ｋｃａｌ／Ｋｇ）より低く、
（３）燃焼時に通常の通常のプラスティック成形品のように溶融がなく、紙と同じように燃え、しかもダイオキシンなどの有害ガスの発生もない
という特性を有することが報告されている。
【００１６】
そこで、上記のような特性を有するペレット状プラスティック改質材（以下、素材という）を用いて葬祭用照明具（灯籠、気泡灯）の外郭を構成する部材、すなわち、灯籠にあっては火袋本体１、扇２、電装台３、支持脚４および三角状保持具５、気泡灯にあっては笠部６、鳳凰飾り体７、瑶珞飾り体８、基台１３などの外郭部材を射出成形するには、
（１）成形前に予備乾燥（９５°Ｃ、４時間）を行い、
（２）素材投入前に成形機のシリンダー温度２００°Ｃ以下を確認してから素材をホッパーに投入し、
（３）素材温度を１８０°Ｃ以下に設定して成形する。
その際、成形用の「型枠」は従来プラスティック成形時に使用した当該「型枠」をそのまま利用できるので経済的であるうえ、素材の着色も自由に選択できる。
【００１７】
【発明の効果】
以上の説明によって明らかなように、本発明は葬祭用照明具の外郭を構成する部材を容器リサイクル法で紙と認定されたプラスティック改質材で射出成形したものであるから、通常プラスティック成形品よりも剛性（曲げ強度）が優れており、したがって、組立、分解時の取扱いが容易にできるうえ、葬儀の際に祭壇の脇に配置した時は、故人の冥福と成仏を祈る厳かな雰囲気を演出することができると共に、葬儀終了後に焼却手段で廃棄する場合には、通常のプラスティック成形品よりも燃焼カロリーが低く、燃焼時に溶融することなく紙と同じように燃え、しかもダイオキシンなどの有害ガスの発生がないので、環境汚染のない状態で廃棄することができる効果を奏する。
【図面の簡単な説明】
【図１】葬祭用照明具の一実施例を示す灯籠の正面図
【図２】同上他の実施例を示す気泡灯の正面図
【符号の説明】
１　　　火袋本体
１ａ　　上部輪体
１ｂ　　下部輪体
１ｃ　　縦桟
１ｄ　　取付孔
２　　　扇
２ａ　　扇房
３　　　電装台
４　　　支持脚
５　　　三角状保持具
６　　　笠部
６ａ　　火炎を模した飾り体
７　　　鳳凰飾り体
８　　　瑶珞飾り体
９　　　筒状部
１０　　気泡管
１１　　反射板
１２　　電球
１２ａ　ソケット
１３　　基台
【図１】
2004135871.tif 000003
【図２】
2004135871.tif 000004